(57)【要約】【課題】石材の投入作業における施工位置管理の容易化と作業の効率化を両立させた石材投入ホッパーを提供する。【解決手段】吊り下げワイヤ２６とゲート開閉ワイヤ４４という２種類のワイヤを用いて遠隔操作が可能な石材投入ホッパー１０を基礎捨石マウンド８０の施工箇所に接近させた状態で石材６０を投入する。石材投入ホッパー１０は、石材６０を一時的に貯留するホッパー本体部１２と、ホッパー本体部１２を吊り下げるための吊り下げワイヤ２６を装着する吊り下げワイヤ装着部２４と、石材排出口２０を開閉する一対の能動ゲート１４と受動ゲート１６を備えている。能動ゲート１４と受動ゲート１６はリンク部材５０で連結され、ゲート開閉ワイヤ４４の操作により互いに離れる方向に回動し、石材排出口２０を開く。【選択図】図４
2012132163.tif 000002
【特許請求の範囲】
【請求項１】
石材を一時的に貯留するホッパー本体部と、前記ホッパー本体部を吊り下げるための吊り下げワイヤを装着する吊り下げワイヤ装着部と、前記ホッパー本体部の底部の石材排出口を開閉する一対のゲートを備え、
前記一対のゲートは、前記ホッパー本体部に対して固定された支点を中心として回動する能動ゲートと、前記能動ゲートとリンク部材で連結され、前記ホッパー本体部に対して固定された他の支点を中心として前記能動ゲートの回動方向とは反対方向に回動する受動ゲートで構成され、
前記能動ゲートに回動用の外力を伝達するためのゲート開閉ワイヤを装着するゲート開閉ワイヤ装着部を備えた、石材投入ホッパー。
【請求項２】
前記ゲート開閉ワイヤ装着部に装着された前記ゲート開閉ワイヤを前記ゲート開閉ワイヤ装着部より低い位置で掛け回すための滑車を備えた、請求項１に記載の石材投入ホッパー。
【請求項３】
前記ホッパー本体部の内側の石材貯留空間が、天井部の石材投入口の径より底部の石材排出口の径の方が大きい円錐台の形状である、請求項１または２に記載の石材投入ホッパー。
【発明の詳細な説明】
【技術分野】
【０００１】
本発明は、基礎捨石工において捨石となる石材を基礎捨石マウンドの施工箇所に正確に投入するための石材投入ホッパーに関する。
【背景技術】
【０００２】
ケーソンやＬ型ブロックなど大型の構造物を海底に設置するに際しては、先ず海底に基礎捨石マウンドを構築し、その上に構造物が据え付けられている。基礎捨石マウンドの構築には１個が数十キロ〜数百キロにもおよぶ石材が多数必要であり、これらをグラブなどを用いて海底に投入し、所定の高さまで積み上げた後、構造物の据え付け面を平坦に均す作業が行われる。
【０００３】
近年の港湾土木工事においては施工箇所の大水深化が顕著である。その結果、工事用船舶と施工箇所との距離が長くなり、グラブなど施工用機材の位置決め精度が低下し、施工位置管理が格段に難しくなってきている。このことは基礎捨石工においても例外ではなく、グラブ等の位置ずれや潮流によって予定のコースから外れた石材が施工箇所の周辺に散乱するという事態を引き起こしている。
【０００４】
従来、このような石材の散乱防止を目的とした施工技術が提案されている。例えば特許文献１では、トレミー管と呼ばれる細長い筒状体を船体から海底面まで延ばし、管の中を通して石材を投入する技術が開示されている。また特許文献２では、海底にシュートと呼ばれる一種の枠構造体を設置し、枠内に石材を投入することで位置管理を行う技術が開示されている。
【先行技術文献】
【特許文献】
【０００５】
【特許文献１】特開平５−２４７９４１号公報
【特許文献２】特開平６−４９８４６号公報
【発明の概要】
【発明が解決しようとする課題】
【０００６】
これらの従来技術によれば施工位置管理は容易になり、石材を施工箇所に正確に投入することが可能であるが、石材投入用のグラブの操作とは別にトレミー管やシュートの移動や操作が必要になるため、作業に要する時間と手間が増え、作業効率が低下するという問題がある。
【０００７】
本発明の目的とするところは、石材投入作業における施工位置管理の容易化と作業の効率化を両立させた石材投入ホッパーを提供することにある。
【課題を解決するための手段】
【０００８】
本発明は、２つの用途の異なるワイヤを用いて遠隔操作が可能であって、基礎捨石マウンドの施工箇所に接近させた状態で石材を投入することができる石材投入ホッパーを提供する。
【０００９】
石材投入ホッパーは、石材を一時的に貯留するホッパー本体部と、前記ホッパー本体部を吊り下げるための吊り下げワイヤを装着する吊り下げワイヤ装着部と、前記ホッパー本体部の底部の石材排出口を開閉する一対のゲートを備え、前記一対のゲートは、前記ホッパー本体部に対して固定された支点を中心として回動する能動ゲートと、前記能動ゲートとリンク部材で連結され、前記ホッパー本体部に対して固定された他の支点を中心として前記能動ゲートの回動方向とは反対方向に回動する受動ゲートで構成され、前記能動ゲートに回動用の外力を伝達するためのゲート開閉ワイヤを装着するゲート開閉ワイヤ装着部を備えている。
【００１０】
吊り下げワイヤを操作することにより石材投入ホッパーを移動させることができ、ゲート開閉ワイヤを操作することにより一対のゲートの開閉動作を制御することができる。従って吊り下げワイヤとゲート開閉ワイヤという２つの用途の異なるワイヤを操作するだけで石材投入ホッパーを施工箇所に接近させ、石材を投入することができる。これにより石材投入作業における施工位置管理の容易化と作業の効率化を図ることができる。
【００１１】
吊り下げワイヤとしてクレーンの主ワイヤを使用することができ、ゲート開閉ワイヤとしてクレーンの補助ワイヤを使用することができる。この場合、クレーンの操縦のみで石材投入ホッパーの操作が可能になるため、石材投入作業のさらなる効率化を図ることができる。
【００１２】
開閉ワイヤ装着部より低い位置に滑車を設け、ゲート開閉ワイヤ装着部に装着されたゲート開閉ワイヤを滑車に掛け回してもよい。ゲート開閉ワイヤを滑車に掛け回すことにより、能動ゲートに作用する外力の方向を調整することができるようになる。またゲート開閉ワイヤはゲート開閉ワイヤ装着部と滑車の２点で支持されるようになるので操作時の動作が安定する。
【００１３】
ホッパー本体部の内側の石材貯留空間を天井部の石材投入口の径より底部の石材排出口の径の方が大きい円錐台の形状にすることにより、石材排出口での石材の目詰まりを防止することができる。
【発明の効果】
【００１４】
石材投入ホッパーは２種類のワイヤのみを用いて遠隔操作が可能であり、施工箇所の至近距離から石材を投入することができるため、石材投入ホッパーを基礎捨石工に用いれば石材を施工箇所に正確かつ効率的に投入することができ、工期短縮と工費削減を図ることができる。
【図面の簡単な説明】
【００１５】
【図１】ゲートが閉じた状態の石材投入ホッパーの（ａ）側面図（ｂ）平面図
【図２】ゲートが開いた状態の石材投入ホッパーの（ａ）側面図（ｂ）平面図
【図３】ゲート開閉時のゲート開閉レバーとリンク部材の動きを示す図
【図４】基礎捨石マウンドに石材を投入する状況を示す図
【図５】クレーンを使用して石材投入ホッパーを操作する状況を示す図
【発明を実施するための形態】
【００１６】
最初に本発明の実施の形態の石材投入ホッパーの構造について図１乃至図３を参照して説明する。石材投入ホッパー１０は、ホッパー本体部１２と、能動ゲート１４および受動ゲート１６からなる開閉式のゲートを主要な構成として備えている。
【００１７】
ホッパー本体部１２は円錐台形状の中空の構造体であり、天井部は石材を投入する石材投入口１８であり、底部は石材を排出する石材排出口２０である。ホッパー本体部１２の内部空間は、石材投入口１８の径より石材排出口２０の径の方が大きい円錐台形状の石材貯留空間であり、石材投入口１８から投入された石材を一時的に貯留する。
【００１８】
ホッパー本体部１２の上部には３個の吊り下げワイヤ装着部２４が備えられている。石材投入ホッパー１０は吊り下げワイヤ装着部２４にそれぞれ装着された３本の吊り下げワイヤ２６によって吊り下げることができる。
【００１９】
ホッパー本体部１２の下部には環状の保護枠２８が備えられている。保護枠２８はホッパー本体部１２の下部から水平に延びる２つの連結部材３２とホッパー本体部１２の上部から斜め下方に延びる３の連結部材３４によってホッパー本体部１２に固定されている。保護枠２８は能動ゲート１４と受動ゲート１６の外側に位置しており、能動ゲート１４と受動ゲート１６を他の物体との接触や衝突から保護する。保護枠２８には３本の脚部３０が備えられている。
【００２０】
能動ゲート１４と受動ゲート１６はホッパー本体部１２の下部に装着されている。能動ゲート１４は半円形の底板部１４ａと、底板部１４ａの弧の部分と連続する側板部１４ｂで構成されている。受動ゲート１６は半円形の底板部１６ａと、底板部１６ａの弧の部分と連続する側板部１６ｂで構成されており、能動ゲート１４と対をなしている。何れの側板部１４ｂ、１６ｂともホッパー本体部１２の側面に倣う曲面状に形成されている。
【００２１】
ホッパー本体部１２の側面には支軸３６、３８が互いに間隔をおいて同じ高さに備えられている。支軸３６には能動ゲート１４の側板部１４ｂが回動可能に装着されており、支軸３８には受動ゲート１６の側板部１６ｂが回動可能に装着されている。
【００２２】
能動ゲート１４と受動ゲート１６は外力が作用していない状態では自重によりそれぞれの底板部１４ａ、１６ａが石材排出口２０の下方に位置する姿勢に維持される。このとき底板部１４ａ、１６ａが互いに押し合いながら密着するように、支軸３６、３８は能動ゲート１４と受動ゲート１６の重心の位置より内側に配置されている。
【００２３】
能動ゲート１４にはゲート開閉レバー４０が備えられている。ゲート開閉レバー４０は作用桿部４０ａと、作用桿部４０ａの両端と能動ゲート１４の側板部１４ｂの両側部をそれぞれ連結する伝達桿部４０ｂで構成されている。伝達桿部４０ｂは受動ゲート１６を越えてホッパー本体部１２の外側まで延びており、その先端に作用桿部４０ａが連結されている。作用桿部４０ａにはゲート開閉ワイヤ装着部４２が備えられており、ゲート開閉ワイヤ装着部４２にはゲート開閉ワイヤ４４が装着されている。
【００２４】
３本の脚部３０のうち１つの脚部３０ａは鉛直方向においてゲート開閉ワイヤ装着部４２と直線上に並ぶ位置に備えられている。脚部３０ａには滑車４６が備えられており、ゲート開閉ワイヤ４４が掛け回されている。滑車４６に掛け回されたゲート開閉ワイヤ４４を上方に引っ張ることにより、ゲート開閉ワイヤ装着部４２を通じて作用桿部４０ａには滑車４６のある斜め下方に向かう外力が入力され、伝達桿部４０ｂを通じて能動ゲート１４に伝達される。能動ゲート１４には支軸３６を中心としたモーメントが作用し、ホッパー本体部１２の外側に向けて回動する。
【００２５】
能動ゲート１４と受動ゲート１６は側板部１４ｂ、１６ｂに装着されたリンク部材５０により連結されている。リンク部材５０は能動ゲート１４側の端部５０ａが支軸３６と略同じ高さに軸支され、受動ゲート１６側の端部５０ｂが支軸３８より高い位置に軸支されている。ゲート開閉ワイヤ４４を通じて作用桿部４０ａに外力が伝達されると、能動ゲート１４には支軸３０周りのモーメントが作用し、受動ゲート１６から離れる方向に回動し始める。このときリンク部材５０は端部５０ａ側から斜め下方に移動し、もう一方の端部５０ｂに連結された受動ゲート１６に支軸３８を中心としたモーメントを作用させる。この受動ゲート１６に作用するモーメントは能動ゲート１４に作用するモーメントとは逆方向であり、受動ゲート１６は能動ゲート１４から離れる方向に回動する。このように能動ゲート１４と受動ゲート１６が互いに離れる方向に回動することで石材排出口２０が開き、ホッパー本体部１２に貯留されている石材６０が石材排出口２０から排出される。
【００２６】
次に石材投入ホッパー１０の使用方法について図４および図５を参照して説明する。石材投入ホッパー１０の３本の吊り下げワイヤ２６は、クレーン７０の主ワイヤ７２の先端に取り付けられたフック７４に連結する。同じくゲート開閉ワイヤ４４はクレーン７０の補助ワイヤ７６に連結する。クレーン７０の操縦により、石材を貯留した石材投入ホッパー１０を海中に沈め、海底に構築された基礎捨石マウンド８０の上に設置する。このとき３本の脚部３０は基礎捨石マウンド８０に接触させる。こうすることで石材投入ホッパー１０の姿勢が安定するとともに基礎捨石マウンド８０の施工箇所に対する石材排出口２０の高さが常に一定となる。
【００２７】
石材投入ホッパー１０の設置が完了したら、クレーン７０の操縦により補助ワイヤ７４を巻き上げる。補助ワイヤ７６を巻き上げると、これに連結されたゲート開閉ワイヤ４４は上方に引っ張られ、能動ゲート１４と受動ゲート１６は互いに離れる方向に回動する。これにより石材排出口２０が開き、石材排出口２０から落下した石材６０が基礎捨石マウンド８０の施工箇所に投入される。
【００２８】
石材６０の投入を終えると、主ワイヤ７２を巻き上げて石材投入ホッパー１０を海上に引き上げる。空になったホッパー本体部１２には再び石材６０を投入し、一杯になったところで再度クレーン７０を操縦し、石材投入ホッパー１０を基礎捨石マウンド８０の上に設置する。このとき設置する箇所は先に石材６０を投入した箇所とは別の箇所となる。このように石材投入ホッパー１０の設置箇所を変えながら一定量の石材６０の投入を行うことにより、全体にわたって略均一な高さの基礎捨石マウンド８０を築くことができる。石材投入ホッパー１０の操作はクレーン７０の操縦のみで行うことができるため、省力化と作業時間短縮が可能であり、効率的な石材投入作業が実現できる。
【００２９】
一回の投入作業による基礎捨石マウンド８０の層厚は脚部３０の長さによって自由に調整することができる。脚部３０を一定の長さに調整しておけば石材投入ホッパー１０の設置箇所が変っても石材６０の高さは常に一定となるので、基礎捨石マウンド８０の層厚管理が容易である。
【００３０】
また石材６０の投入距離は脚部３０の長さと同程度と極めて短いため、施工箇所に対する位置ずれ、散乱等はほとんど問題にはならず、正確な位置に石材６０を投入することができる。従って投入後の補修作業の必要性はほとんどなく、この点からも省力化と作業時間短縮による効率的な石材投入作業の実現が期待できる。
【符号の説明】
【００３１】
１０  石材投入ホッパー
１２  ホッパー本体部
１４  能動ゲート
１６  受動ゲート
１８  石材投入口
２０  石材排出口
２２  石材貯留空間
２４  吊り下げワイヤ装着部
２６  吊り下げワイヤ
３０、３０ａ  脚部
３６、３８  支軸
４０  ゲート開閉レバー
４２  ゲート開閉ワイヤ装着部
４４  ゲート開閉ワイヤ
４６  滑車
５０  リンク部材
６０  石材
７０  クレーン
７２  主ワイヤ
７６  補助ワイヤ
８０  基礎捨石マウンド
【図１】
2012132163.tif 000003
【図２】
2012132163.tif 000004
【図３】
2012132163.tif 000005
【図４】
2012132163.tif 000006
【図５】
2012132163.tif 000007